(57)【要約】【課題】蓋体と筐体との隙間から筐体内に冷気が進入することを防止できる埋設ボックスを提供する。【解決手段】埋設ボックス１は、上面に開口部１１が設けられた筐体１０と、開口部１１を開放又は遮蔽する蓋体２０と、を備え、開口部１１を遮蔽した状態の蓋体２０における水道管Ｐに臨む裏面２２には断熱部３０が形成されており、断熱部３０における外周縁部３１には、環状のシール部材４０が取り付けられており、蓋体２０が筐体１０の開口部１１を遮蔽した状態で、シール部材４０が開口部１１の開口縁部に沿って筐体１０の内壁面１２に当接している。【選択図】図１
2018178379.tif 000002
【特許請求の範囲】
【請求項１】
水道管が内部に挿通される埋設ボックスであって、
上面に開口部が設けられた筐体と、
前記開口部を開放又は遮蔽する蓋体と、
を備え、
前記開口部を遮蔽した状態の前記蓋体における前記水道管に臨む面には断熱部が形成されており、
前記断熱部における外周縁部には、環状のシール部材が取り付けられており、
前記蓋体が前記筐体の開口部を遮蔽した状態で、前記シール部材が前記開口部の開口縁部に沿って前記筐体の内壁面に当接している
ことを特徴とする埋設ボックス。
【請求項２】
前記断熱部の外周縁部には、前記シール部材の少なくとも一部が内嵌するシール部材取付用凹部が設けられている
請求項１に記載の埋設ボックス。
【請求項３】
前記筐体の内壁面には、前記蓋体が前記筐体の開口部を遮蔽した状態で前記蓋体を支持する支持段部が形成されており、
前記蓋体が前記筐体の開口部を遮蔽した状態で、前記シール部材は、前記筐体の前記支持段部よりも下方の前記内壁面に当接している
請求項１又は請求項２に記載の埋設ボックス。
【請求項４】
前記シール部材は、
前記断熱部に取り付けられる本体部と、
前記蓋体が前記筐体の開口部を遮蔽した状態で前記本体部から前記筐体の内壁面に向かう方向に突き出されている突出部と、
を備え、
前記蓋体が前記筐体の開口部を遮蔽した状態で、前記突出部の先端部が前記筐体の内壁面に当接しており、
前記突出部は、前記先端部側に向かうに従って厚みが薄くなる形状である
請求項１乃至請求項３のいずれか１項に記載の埋設ボックス。
【請求項５】
前記シール部材は、
前記断熱部に取り付けられる本体部と、
前記蓋体が前記筐体の開口部を遮蔽した状態で前記本体部から前記筐体の内壁面に向かう方向に突き出されている突出部と、
を備え、
前記蓋体が前記筐体の開口部を遮蔽した状態で、前記突出部の先端部が前記筐体の内壁面に当接しており、
前記突出部の基端部には、他の部位より厚みが薄い薄肉部が形成されている
請求項１乃至請求項４のいずれか１項に記載の埋設ボックス。
【発明の詳細な説明】
【技術分野】
【０００１】
本発明は、水道管が内部に挿通されており、前記水道管に設けられた量水器あるいは止水栓等の機器が収容される埋設ボックスに関する。
【背景技術】
【０００２】
従来から、水道管が内部に挿通されており、前記水道管に設けられた量水器あるいは止水栓等の機器が収容される埋設ボックスが提案されている。また、このような埋設ボックスのうち、特に寒冷地で使用されるものには、断熱性能を有するものも種々提案されている。
【０００３】
例えば特許文献１には、メーターボックスの蓋体の裏面に、発泡スチロール等の保温プレート材（断熱部）が取り付けられている構成が開示されている。
【先行技術文献】
【特許文献】
【０００４】
【特許文献１】特開２００５−９１６５号公報
【発明の概要】
【発明が解決しようとする課題】
【０００５】
しかしながら、上記特許文献１のように蓋体の裏面に保温材を取り付けた場合にも、閉じた蓋体と筐体との隙間から外部の冷気が筐体内に進入してしまい、保温性を保つのが困難であった。このように、筐体内に寒冷地の冷気が進入すると、水道管が凍結してしまう場合もある。
【０００６】
そこで本発明は、蓋体と筐体との隙間から筐体内に冷気が進入することを防止することができる埋設ボックスを提供することを目的とする。
【課題を解決するための手段】
【０００７】
本発明は、水道管が内部に挿通される埋設ボックスであって、上面に開口部が設けられた筐体と、前記開口部を開放又は遮蔽する蓋体と、を備え、前記開口部を遮蔽した状態の前記蓋体における前記水道管に臨む面には断熱部が形成されており、前記断熱部における外周縁部には、環状のシール部材が取り付けられており、前記蓋体が前記筐体の開口部を遮蔽した状態で、前記シール部材が前記開口部の開口縁部に沿って前記筐体の内壁面に当接していることを特徴とする埋設ボックスである。
【０００８】
かかる構成にあっては、前記シール部材が前記筐体の内壁面に当接することによって、筐体と蓋体との隙間から冷気が前記筐体内に進入することを阻止することができる。また、前記シール部材は、前記断熱部に取り付けられているため、前記シール部材自体が、前記蓋体の上面部から伝わる冷温で冷えてしまうことも抑制できる。したがって、シール部材を介して筐体内が冷えてしまうことも抑制でき、水道管の凍結を効果的に防止することができる。
【０００９】
また、前記断熱部の外周縁部には、前記シール部材の少なくとも一部が内嵌するシール部材取付用凹部が設けられている構成が提案される。
【００１０】
かかる構成とすることにより、前記シール部材の少なくとも一部が前記断熱部で囲われるため、前記シール部材が冷気に触れる露出面積を小さくすることができる。したがって、前記シール部材が過剰に冷えることをより一層効果的に防止できる。また、前記シール部材が前記断熱部に確実に保持されることとなるため、前記蓋体を開閉した時に前記シール部材が前記断熱部から脱落してしまうことを抑制することができる。
【００１１】
さらに、前記筐体の内壁面には、前記蓋体が前記筐体の開口部を遮蔽した状態で前記蓋体を支持する支持段部が形成されており、前記蓋体が前記筐体の開口部を遮蔽した状態で、前記シール部材は、前記筐体の前記支持段部よりも下方の前記内壁面に当接している構成が提案される。
【００１２】
かかる構成にあっては、前記蓋体と前記筐体との間の隙間から進入するゴミ等はまず前記支持段部に堆積する。すなわち、前記シール部材は、前記支持段部よりも下方に配置されているため、前記シール部材上にゴミ等が溜まってしまうことが抑制される。したがって、蓋体を繰り返し開閉させた際も、前記シール部材と前記蓋体との間にゴミ等が噛み込んでしまう、といった問題も生じにくい。
【００１３】
また、前記シール部材は、前記断熱部に取り付けられる本体部と、前記蓋体が前記筐体の開口部を遮蔽した状態で前記本体部から前記筐体の内壁面に向かう方向に突き出されている突出部と、を備え、前記蓋体が前記筐体の開口部を遮蔽した状態で、前記突出部の先端部が前記筐体の内壁面に当接しており、前記突出部は、前記先端部側に向かうに従って厚みが薄くなる形状であることが望ましい。
【００１４】
かかる構成とすることにより、前記先端部が、より柔軟に前記筐体の内壁面に当接することになるため、蓋体と筐体との間に隙間が生じにくくなって冷気の進入を効果的に防止することができる。
【００１５】
さらに、前記シール部材は、前記断熱部に取り付けられる本体部と、前記蓋体が前記筐体の開口部を遮蔽した状態で前記本体部から前記筐体の内壁面に向かう方向に突き出されている突出部と、を備え、前記蓋体が前記筐体の開口部を遮蔽した状態で、前記突出部の先端部が前記筐体の内壁面に当接しており、前記突出部の基端部には、他の部位より厚みが薄い薄肉部が形成されていることが望ましい。
【００１６】
かかる構成にあっては、前記突出部が前記薄肉部で柔軟に屈曲することになるため、前記突出部がより一層柔軟に前記筐体の内壁面に当接することになる。したがって、蓋体と筐体との間に隙間が生じにくくなって冷気の進入を効果的に防止することができる。
【発明の効果】
【００１７】
本発明の埋設ボックスは、前記筐体と前記蓋体との隙間から冷気が筐体内に進入することを防止できる効果がある。
【図面の簡単な説明】
【００１８】
【図１】実施例にかかる埋設ボックスの斜視図である。
【図２】実施例にかかるシール部材を示し、（ａ）は平面図であり、（ｂ）は（ａ）のＡ−Ａ線端面図である。
【図３】（ａ）はシール部材を取り付ける前の蓋体を示す部分拡大端面図であり、（ｂ）はシール部材を取り付けた状態の蓋体を含む埋設ボックスを示す部分拡大端面図である。
【図４】（ａ）は変形例１にかかる埋設ボックスを示す部分拡大端面図であり、（ｂ）は変形例２にかかる埋設ボックスを示す部分拡大端面図である。
【発明を実施するための形態】
【００１９】
以下、本発明の埋設ボックスを具体化した実施例を詳細に説明する。なお、本発明は、下記に示す実施例に限定されることはなく、適宜設計変更が可能である。
【００２０】
〔実施例〕
図１に示すように、埋設ボックス１は、上面に開口部１１が設けられた略直方体箱形状の筐体１０を備えている。そして、筐体１０の内部は、内壁面１２によって内部空間Ｓが画定されている。また、筐体１０は、対向する２壁面にそれぞれ水道管Ｐが挿通される水道管挿通孔１３，１３が設けられている。
【００２１】
さらに、筐体１０の内壁面１２における開口部１１の近傍には、当該開口部１１の開口縁に沿って形成された支持段部１５が形成されている。なお、支持段部１５は、後述する蓋体２０が筐体１０の開口部１１を遮蔽した状態で蓋体２０を下から支持する機能を有している。
【００２２】
また、埋設ボックス１は、板形状の蓋体２０を備えている。具体的には、蓋体２０は筐体１０の開口部１１の近傍に軸支されており、筐体１０の開口部１１を開放又は遮蔽する機能を有している。そして、図３（ｂ）に示すように、蓋体２０が筐体１０の開口部１１を遮蔽した状態にあっては、蓋体２０の外周縁の下端部２１が筐体１０の支持段部１５に上から当接する。
【００２３】
また、図１に示すように、蓋体２０は開口部１１を遮蔽した状態で水道管Ｐ側に臨む面である裏面２２を有しており、さらにこの裏面２２の中央には、断熱機能を有した略直方体形状の断熱部３０を有している。なお、断熱部３０は、例えば板形状の断熱部材を裏面２２に固定することによって構成するようにしてもよいし、蓋体本体部分と一体成形して構成するようにしてもよい。
【００２４】
次に、本発明の要部について説明する。
図３（ａ）に示すように、前記蓋体２０における断熱部３０の外周縁部３１には、凹陥状のシール部材取付用凹部３２が外周縁部３１を１周する態様で設けられている。したがって、蓋体２０が筐体１０の開口部１１を遮蔽した状態では、シール部材取付用凹部３２は筐体１０の内壁面１２に対向することとなる。
【００２５】
また、図１に示すように、シール部材取付用凹部３２にはシール部材４０が取り付けられる。
【００２６】
さらに詳述すると、図２(ａ)に示すように、シール部材４０は、略四角環形状をなし、図２（ｂ）に示すように、シール部材取付用凹部３２に内嵌可能な形状の本体部４１を備えている。また、本体部４１の外周面には、外側に向かって突出する突出部４２が設けられている。
【００２７】
また、図２（ｂ）に示すように、突出部４２は、先端部４３に向かうに従って厚みが薄くなる形状を有している。さらに、突出部４２の基端部には、他の部位よりも厚みが薄い薄肉部４５が形成されている。
【００２８】
そして、図３（ｂ）に示すように、シール部材４０の本体部４１がシール部材取付用凹部３２に内嵌されてシール部材４０が断熱部３０に取り付けられると、蓋体２０が筐体１０の開口部１１を遮蔽した状態で、突出部４２は、本体部４１から筐体１０の内壁面１２に向かって突出することになる。
【００２９】
上記した構成にあって、蓋体２０を閉じて筐体１０の開口部１１を遮蔽した状態とすると、図３（ｂ）に示すように、蓋体２０は筐体１０の支持段部１５に支持されると共に、シール部材４０の先端部４３は、開口部１１の開口縁部に沿って筐体１０の内壁面１２に当接する。
【００３０】
したがって、蓋体２０が筐体１０の開口部１１を遮蔽した状態では、シール部材４０によって埋設ボックス１の外部と内部空間Ｓとが遮断されるため、外部の冷気が埋設ボックス１の内部空間Ｓに進入することを防止できる。
【００３１】
また、シール部材４０の本体部４１が断熱部３０に囲われているため、シール部材４０における外気に触れる露出面積が小さくなり、シール部材４０自体が冷気によって冷えてしまうことも抑制されている。また、このように、シール部材４０が断熱部３０に嵌合していると、蓋体２０が繰り返し開閉された場合にも、シール部材４０が断熱部３０から脱落してしまうことが抑制される。
【００３２】
また、シール部材４０の突出部４２は、先端部４３に向かうに従って厚みが薄くなる形状であるため、先端部４３がより柔軟に筐体１０の内壁面１２に当接する。したがって、シール部材４０のシール性能（内部空間Ｓと外部との遮断性能）をより良好なものとすることができる。
【００３３】
さらに、シール部材４０には薄肉部４５が形成されているため、突出部４２は本体部４１に対してより柔軟に屈曲することができる。このため、シール部材４０のシール性能が大幅に向上する。
【００３４】
なお、突出部４２は単一のシール部材４０において複数設けられていても構わない。
【００３５】
また、シール部材４０の突出部４２の先端部４３は、筐体１０における支持段部１５よりも下方の内壁面１２に当接している。ここで、埋設ボックス１の使用環境によっては、筐体１０と蓋体２０との隙間からゴミ等が進入することがあるところ、このようなゴミ等はまず支持段部１５に堆積することになる。このため、シール部材４０上にゴミ等が堆積することがなくなり、シール部材４０と蓋体２０と間にゴミ等が噛み込んでしまう、といった問題も生じにくい。
【００３６】
〔変形例１〕
図４（ａ）に示すように、本発明は、シール部材取付用凹部３２が設けられることなく、断熱部３０の外周縁部３１にシール部材５０が取り付けられている構成としてもよい。なお、このように本発明においてシール部材取付用凹部３２は必須のものではないが、蓋体２０は頻繁に開閉されるため、シール部材５０が断熱部３０から容易に脱落しない構成であることが望ましい。
【００３７】
〔変形例２〕
また、図４（ｂ）に示すように、本発明は、シール部材５０が支持段部１５の形成されない筐体６０の内壁面１２に当接している構成であってもよい。かかる構成にあっても、冷気が筐体６０内に進入することを防止できる。
【００３８】
上記した実施例等の各部の寸法形状は適宜自由に選択可能である。
【００３９】
また、筐体１０，６０や蓋体２０は合成樹脂材料によって構成されていることが望ましい。また、断熱部３０の材料は、断熱性能を有するものであれば特に限定されないが、コストや製造容易性の観点から例えば発泡スチロール等の発泡樹脂材料によって構成されていることが望ましい。また、シール部材４０，５０はシール性能を向上させるべく可撓性の合成樹脂材料（例えばゴム材料）で構成されていることが望ましい。
【符号の説明】
【００４０】
１              埋設ボックス
１０，６０      筐体
１１            開口部
１２            内壁面
１５            支持段部
２０            蓋体
２２            裏面
３０            断熱部
３１            外周縁部
３２            シール部材取付用凹部
４０，５０      シール部材
４１            本体部
４２            突出部
４３            先端部
４５            薄肉部
Ｐ              水道管
【図１】
2018178379.tif 000003
【図２】
2018178379.tif 000004
【図３】
2018178379.tif 000005
【図４】
2018178379.tif 000006